(57)【特許請求の範囲】
【請求項１】
物体側から像側へ順に、正の屈折力を有する第１レンズ群Ｌ１と、負の屈折力を有する第２レンズ群Ｌ２と、正の屈折力を有する第３レンズ群Ｌ３とを有し、前記第１レンズ群Ｌ１において、最も物体側に配する接合レンズの接合面Ｓｃ１は物体側に凹面を向けた形状であり、前記第２レンズ群Ｌ２及び前記第３レンズ群Ｌ３はそれぞれ３枚以上のレンズで構成され、フォーカシングに際して、前記第１レンズ群Ｌ１は像面に対して固定であり、前記第２レンズ群Ｌ２が光軸に沿って像側に移動するとともに前記第３レンズ群Ｌ３が光軸に沿って物体側に移動し、以下の条件式を満足することを特徴とする大口径望遠レンズ。
（１）０．７７＜ＦＮｏ×（ｆ１／ｆ）＜１．４０
（２）｜（θｇＦｃｒ−θｇＦｃｆ）／（νｄｃｒ−νｄｃｆ）｜＜０．００２０
（３）２Ｒｃ／φｃ＜−４．８
ただし、
ＦＮｏ：無限遠合焦時のレンズ全系の開放Ｆ値
ｆ１：前記第１レンズ群Ｌ１の焦点距離
ｆ：無限遠合焦時のレンズ全系の焦点距離
θｇＦｃｒ：前記接合レンズの接合面Ｓｃ１の像側のレンズの部分分散比
θｇＦｃｆ：前記接合レンズの接合面Ｓｃ１の物体側のレンズの部分分散比
νｄｃｒ：前記接合レンズの接合面Ｓｃ１の像側のレンズのｄ線に対するアッベ数
νｄｃｆ：前記接合レンズの接合面Ｓｃ１の物体側のレンズのｄ線に対するアッベ数
Ｒｃ：前記接合面Ｓｃ１の曲率半径
φｃ：前記接合面Ｓｃ１での軸上マージナル光線の径
【請求項２】
以下の条件式を満足することを特徴とする請求項１に記載の大口径望遠レンズ。
（４）ＦＮｏ×ＬＴ／ｆ＜２．３５
ただし、
ＦＮｏ：無限遠合焦時のレンズ全系の開放Ｆ値
ＬＴ：レンズ全系の最も物体側のレンズ面から像面までの距離
ｆ：無限遠合焦時のレンズ全系の焦点距離
【請求項３】
前記第２レンズ群Ｌ２は、最も物体側の面が物体側に凸面を向け全体として負の屈折力を有する接合レンズと、前記接合レンズの像側に配する負レンズから成ることを特徴とする請求項１又は２のいずれかに記載の大口径望遠レンズ。
【請求項４】
以下の条件式を満足することを特徴とする請求項１乃至３のいずれかに記載の大口径望遠レンズ。
（５）ｆ１２＞０
（６）０．１５＜ｆ１／ｆ１２＜０．４２
ただし、
ｆ１２：無限遠合焦時の前記第１レンズ群Ｌ１と前記第２レンズ群Ｌ２の合成焦点距離
ｆ１：前記第１レンズ群Ｌ１の焦点距離
【請求項５】
以下の条件式を満足することを特徴とする請求項１乃至４のいずれかに記載の大口径望遠レンズ。
（７）１．００＜０．５×（｜Ｋ２ｉｎｆ｜＋｜Ｋ３ｉｎｆ｜）＜２．００
ただし、
Ｋ２ｉｎｆ：無限遠合焦時における前記第２レンズ群Ｌ２のフォーカス敏感度
Ｋ３ｉｎｆ：無限遠合焦時における前記第３レンズ群Ｌ３のフォーカス敏感度
さらに、Ｋ２ｉｎｆ及びＫ３ｉｎｆは以下の式で表される。
Ｋ２ｉｎｆ＝β２ｂｉｎｆ２×（β２ｉｎｆ２−１）
Ｋ３ｉｎｆ＝β３ｂｉｎｆ２×（β３ｉｎｆ２−１）
ただし、
β２ｉｎｆ：無限遠合焦時における前記第２レンズ群Ｌ２の横倍率
β２ｂｉｎｆ：前記第２レンズ群Ｌ２より像側に配置されるレンズ群全体の合成横倍率
β３ｉｎｆ：無限遠合焦時における前記第３レンズ群Ｌ３の横倍率
β３ｂｉｎｆ：前記第３レンズ群Ｌ３より像側に配置されるレンズ群全体の合成横倍率
【発明の詳細な説明】
【技術分野】
【０００１】
本発明は、デジタルカメラ、銀塩カメラ及びビデオカメラ等に最適であり、Ｆ値がＦ１．８程度の大口径望遠レンズに関する。
【背景技術】
【０００２】
以下の特許文献において、従来の大口径望遠レンズが開示されている。
【０００３】
特許文献１には、６群構成からなり、Ｆ値がＦ１．８程度であるにもかかわらず比較的コンパクトな、大口径の望遠レンズが開示されている。
【０００４】
また、特許文献２には、撮影レンズの前方レンズ群以外のレンズ群であって比較的小型でしかも軽量な第２レンズ群を移動させてフォーカスを行うことにより高速なフォーカシングを可能とするインナーフォーカス式の望遠レンズが開示されている。
【０００５】
また、特許文献３には、フォーカシング時に第３レンズ群及び第４レンズ群を移動させる、所謂フローティングフォーカスを行うことにより、フォーカシング時の収差変動を抑えた大口径レンズに適した望遠レンズが開示されている。
【先行技術文献】
【特許文献】
【０００６】
【特許文献１】特開昭５８−１２６５１２号公報
【特許文献２】特開平９−１５９９１１号公報
【特許文献３】特許３３９４５９２号公報
【発明の概要】
【発明が解決しようとする課題】
【０００７】
しかしながら、特許文献１に記載の大口径の望遠レンズでは、フォーカシングに際して、第１レンズ群から第５レンズ群を光軸に沿って動かしているため、移動させるレンズ群の重量が大きくなることにより、フォーカシング動作の高速化を図ることが困難となってしまうという課題がある。
【０００８】
また、特許文献２に記載のインナーフォーカス式の望遠レンズでは、軸上色収差の補正が不十分なだけでなく、フォーカシング時の収差変動が大きく、さらに、Ｆ値がＦ２．０程度と暗い、という課題がある。
【０００９】
また、特許文献３に記載の望遠レンズでは、レンズ全系のＦ値がＦ２．８程度と暗い、という課題がある。
【００１０】
そこで、本発明は、従来の大口径望遠レンズの課題を解決し、Ｆ値がＦ１．８程度と明るく、良好な光学性能を得ることが可能な大口径望遠レンズを提供することを目的とする。
【課題を解決するための手段】
【００１１】
上記の課題を解決するために、本発明の大口径望遠レンズは、物体側から像側へ順に、正の屈折力を有する第１レンズ群Ｌ１と、負の屈折力を有する第２レンズ群Ｌ２と、正の屈折力を有する第３レンズ群Ｌ３とを有し、前記第１レンズ群Ｌ１において、最も物体側に配する接合レンズの接合面Ｓｃ１は物体側に凹面を向けた形状であり、前記第２レンズ群Ｌ２及び前記第３レンズ群Ｌ３はそれぞれ３枚以上のレンズで構成され、フォーカシングに際して、前記第１レンズ群Ｌ１は像面に対して固定であり、前記第２レンズ群Ｌ２が光軸に沿って像側に移動するとともに前記第３レンズ群Ｌ３が光軸に沿って物体側に移動し、所定の条件式を満足することを特徴とした。
【発明の効果】
【００１２】
本発明によれば、Ｆ値がＦ１．８程度と明るく、良好な光学性能を得ることが可能な大口径望遠レンズを提供することができる。
【図面の簡単な説明】
【００１３】
【図１】本発明の実施例１に係る無限遠合焦時のレンズ構成図である。
【図２】本発明の実施例１に係る無限遠合焦時の縦収差図である。
【図３】本発明の実施例１に係る撮影距離５５１３ｍｍにおける縦収差図である。
【図４】本発明の実施例１に係る無限遠合焦時の横収差図である。
【図５】本発明の実施例１に係る撮影距離５５１３ｍｍにおける横収差図である。
【図６】本発明の実施例２に係る無限遠合焦時のレンズ構成図である。
【図７】本発明の実施例２に係る無限遠合焦時の縦収差図である。
【図８】本発明の実施例２に係る撮影距離５４２０ｍｍにおける縦収差図である。
【図９】本発明の実施例２に係る無限遠合焦時の横収差図である。
【図１０】本発明の実施例２に係る撮影距離５４２０ｍｍにおける横収差図である。
【図１１】本発明の実施例３に係る無限遠合焦時のレンズ構成図である。
【図１２】本発明の実施例３に係る無限遠合焦時の縦収差図である。
【図１３】本発明の実施例３に係る撮影距離５５１３ｍｍにおける縦収差図である。
【図１４】本発明の実施例３に係る無限遠合焦時の横収差図である。
【図１５】本発明の実施例３に係る撮影距離５５１３ｍｍにおける横収差図である。
【図１６】本発明の実施例４に係る無限遠合焦時のレンズ構成図である。
【図１７】本発明の実施例４に係る無限遠合焦時の縦収差図である。
【図１８】本発明の実施例４に係る撮影距離５４２９ｍｍにおける縦収差図である。
【図１９】本発明の実施例４に係る無限遠合焦時の横収差図である。
【図２０】本発明の実施例４に係る撮影距離５４２９ｍｍにおける横収差図である。
【図２１】本発明の実施例５に係る無限遠合焦時のレンズ構成図である。
【図２２】本発明の実施例５に係る無限遠合焦時の縦収差図である。
【図２３】本発明の実施例５に係る撮影距離５４０４ｍｍにおける縦収差図である。
【図２４】本発明の実施例５に係る無限遠合焦時の横収差図である。
【図２５】本発明の実施例５に係る撮影距離５４０４ｍｍにおける横収差図である。
【発明を実施するための形態】
【００１４】
以下、本発明にかかる大口径望遠レンズの実施例について詳細に説明する。
【００１５】
本実施例の大口径望遠レンズは、物体側より順に、正の屈折力を有する第１レンズ群Ｌ１と、負の屈折力を有する第２レンズ群Ｌ２と、正の屈折力を有する第３レンズ群Ｌ３とを有し、前記第１レンズ群Ｌ１において、最も物体側に配する接合レンズの接合面Ｓｃ１は物体側に凹面を向けた形状であり、前記第２レンズ群Ｌ２及び前記第３レンズ群Ｌ３はそれぞれ３枚以上のレンズで構成され、フォーカシングに際して、前記第１レンズ群Ｌ１は像面に対して固定であり、前記第２レンズ群Ｌ２が光軸に沿って像側に移動するとともに前記第３レンズ群Ｌ３が光軸に沿って物体側に移動し、以下の条件式を満足することを特徴とする。
（１）０．７７＜ＦＮｏ×（ｆ１／ｆ）＜１．４０
（２）｜（θｇＦｃｒ−θｇＦｃｆ）／（νｄｃｒ−νｄｃｆ）｜＜０．００２０
（３）２Ｒｃ／φｃ＜−４．８
ただし、
ＦＮｏ：無限遠合焦時のレンズ全系の開放Ｆ値
ｆ１：前記第１レンズ群Ｌ１の焦点距離
ｆ：無限遠合焦時のレンズ全系の焦点距離
θｇＦｃｒ：前記接合レンズの接合面Ｓｃ１の像側のレンズの部分分散比
θｇＦｃｆ：前記接合レンズの接合面Ｓｃ１の物体側のレンズの部分分散比
νｄｃｒ：前記接合レンズの接合面Ｓｃ１の像側のレンズのｄ線に対するアッベ数
νｄｃｆ：前記接合レンズの接合面Ｓｃ１の物体側のレンズのｄ線に対するアッベ数
Ｒｃ：前記接合面Ｓｃ１の曲率半径
φｃ：前記接合面Ｓｃ１での軸上マージナル光線の径
【００１６】
本実施例のレンズ構成において、無限遠距離から近距離へのフォーカシングに際して、前記第２レンズ群Ｌ２が光軸に沿って像側に移動するとともに前記第３レンズ群Ｌ３が光軸に沿って物体側に移動することで、特にフォーカシング時の像面湾曲の変動を抑制することができる。
【００１７】
また、フォーカシングに際して、径と重量が比較的大きい前記第１レンズ群Ｌ１は像面に対して固定とし、径と重量の比較的小さい前記第２レンズ群Ｌ２と前記第３レンズ群Ｌ３を光軸に沿って移動させることで、フォーカシングの高速化が容易である。
【００１８】
条件式（１）は、レンズ全系の小型化と高性能化のために、前記第１レンズ群Ｌ１の焦点距離とレンズ全系の開放Ｆ値を規定したものである。
【００１９】
条件式（１）の上限値を超えて、レンズ全系の開放Ｆ値が暗くなる、若しくは、前記第１レンズ群Ｌ１の焦点距離が長くなると、前記第１レンズ群Ｌ１での見かけのＦ値が暗くなることにより前記第１レンズ群Ｌ１の径を小さくすることができるものの、前記第１レンズ群Ｌ１から射出される光線はより発散光となり、前記第１レンズ群Ｌ１以降のレンズ群での光線高が上がってしまうためレンズ全系の小型化が困難となる。ここで、見かけのＦ値とは、レンズ全系のＦ値に対するある特定のレンズ群におけるＦ値であって、当該特定のレンズ群のレンズ全系に対する焦点距離の比をレンズ全系のＦ値にかけて算出されるものである。
【００２０】
条件式（１）の下限値を超えて、レンズ全系の開放Ｆ値が明るくなる、若しくは、前記第１レンズ群Ｌ１の焦点距離が短くなると、前記第１レンズ群Ｌ１から射出される光線はより収斂光となり、前記第１レンズ群Ｌ１以降のレンズ群での光線高を下げることができるものの、前記第１レンズ群Ｌ１での見かけのＦ値が明るくなり、前記第１レンズ群Ｌ１の径が上がってしまうため小型化が困難となる。また、前記第１レンズ群Ｌ１で発生する球面収差や軸上色収差が増大し、これをレンズ全系で補正することが困難となる。
【００２１】
なお、上述した条件式（１）について、下限値を０．９０に規定することで、前述の効果をより確実にすることができる。
【００２２】
なお、上述した条件式（１）について、上限値を１．３８に規定することで、前述の効果をより確実にすることができる。
【００２３】
条件式（２）は、レンズ全系の高性能化のために、前記第１レンズ群Ｌ１において最も物体側に配された接合レンズを構成する各レンズの、アッベ数及び部分分散比を規定したものである。
【００２４】
条件式（２）の上限値を超えて、各レンズの部分分散比の差が大きくなる、若しくは、アッベ数の差が小さくなると、軸上色収差の２次スペクトルが大きくなり、これをレンズ全系で補正することが困難となる。
【００２５】
なお、上述した条件式（２）について、上限値を０．００１５に規定することで、前述の効果をより確実にすることができる。
【００２６】
本発明では、前記第１レンズ群Ｌ１において、最も物体側に配する接合レンズの接合面Ｓｃ１を物体側に凹面を向けた形状とすることで、接合面Ｓｃ１を物体側に凸形状にする場合と比較して、前記接合レンズの最も像側のレンズ面の曲率半径を大きくすることができ、前記接合レンズの最も像側のレンズ面及び前記接合レンズ全体で発生する軸上マージナル光線の波長域間の分散を抑えることができる。さらに、本発明では、条件式（３）で前記接合面Ｓｃ１の曲率半径を規定することにより、この効果をより確実なものとすることが可能となる。
【００２７】
条件式（３）は、レンズ全系の大口径化と高性能化のために、前記第１レンズ群Ｌ１において最も物体側に配する接合レンズの接合面Ｓｃ１の曲率半径を規定したものである。
【００２８】
条件式（２）により軸上色収差の２次スペクトルを抑えた場合でも、条件式（３）の上限値を超えて、軸上マージナル光線の径φｃに対する接合面Ｓｃ１の曲率半径の比が０に近づくと、軸上光束のマージナルにおける光線の波長域間の分散が大きくなり、これにより、中心性能が低下するだけでなく、所謂ボケ像に色つきが発生し易くなり、これらをレンズ全系で補正することが困難となる。
【００２９】
なお、上述した条件式（３）について、上限値を−６．０に規定することで、前述の効果をより確実にすることができる。
【００３０】
さらに、本実施例の大口径望遠レンズは、以下の条件式を満足することを特徴とする。
（４）ＦＮｏ×ＬＴ／ｆ＜２．３５
ただし、
ＦＮｏ：無限遠合焦時のレンズ全系の開放Ｆ値
ＬＴ：レンズ全系の最も物体側のレンズ面から像面までの距離
ｆ：無限遠合焦時のレンズ全系の焦点距離
【００３１】
条件式（４）は、レンズ全系の小型化と大口径化のために、レンズ全系の最も物体側のレンズ面から像面までの距離と入射瞳径を規定したものである。
【００３２】
条件式（４）の上限値を超えて、レンズ全系の最も物体側のレンズ面から像面までの距離が大きくなると小型化が困難となる。また、条件式（４）の上限値を超えて、入射瞳径が小さくなると大口径化が困難となる。
【００３３】
なお、上述した条件式（４）について、上限値を２．３０に規定することで、前述の効果をより確実にすることができる。
【００３４】
さらに、本実施例の大口径望遠レンズは、前記第２レンズ群Ｌ２が、最も物体側の面が物体側に凸面を向け全体として負の屈折力を有する接合レンズと、前記接合レンズの像側に配する負レンズから成ることを特徴とする。
【００３５】
本実施例の大口径望遠レンズにおいて、前記第２レンズ群Ｌ２の、最も物体側の面を物体側に凸形状にすることで、前記第１レンズ群Ｌ１から射出される軸上光束のゾーナル光線及びマージナル光線が、前記第２レンズ群Ｌ２の最も物体側のレンズ面に対してより垂直に入射するため、特に、フォーカシングの際の球面収差の変動を抑えることができる。
【００３６】
また、前記第２群レンズ群Ｌ２を、全体として負の屈折力を有する接合レンズと前記接合レンズの像側に配する負レンズにより構成することで、前記第２群レンズ群Ｌ２で発生する軸上色収差や製造誤差による敏感度を抑えつつ、所望の屈折力を確保することが可能となる。
【００３７】
また、本実施例の大口径望遠レンズは、以下の条件式を満足することを特徴とする。
（５）ｆ１２＞０
（６）０．１５＜ｆ１／ｆ１２＜０．４２
ただし、
ｆ１２：無限遠合焦時の前記第１レンズ群Ｌ１と前記第２レンズ群Ｌ２の合成焦点距離
ｆ１：前記第１レンズ群Ｌ１の焦点距離
【００３８】
条件式（５）及び（６）は、レンズ全系の小型化と高性能化のために、前記第１レンズ群Ｌ１と前記第２レンズ群Ｌ２の無限遠合焦時の合成焦点距離と、前記第１レンズ群Ｌ１の焦点距離を規定したものである。
【００３９】
条件式（５）を満足し、条件式（６）の上限値を超えて、前記第１レンズ群Ｌ１の焦点距離が長くなると、前記第１レンズ群Ｌ１と前記第２レンズ群Ｌ２の合成系での正の屈折力が弱くなるため、前記第２レンズ群Ｌ２から射出される光線はより発散光となる。これにより、前記第２レンズ群Ｌ２以降のレンズ群での光線高が上がってしまうためレンズ全系の小型化が困難となる。
【００４０】
条件式（５）を満足し、条件式（６）の下限値を超えて、前記第１レンズ群Ｌ１の焦点距離が短くなると、前記第１レンズ群Ｌ１と前記第２レンズ群Ｌ２の合成系での正の屈折力が強くなるため、前記第２レンズ群Ｌ２から射出される光線はより収斂光となる。これにより、前記第２レンズ群Ｌ２以降のレンズ群での光線高が下がるため、レンズ全系の小型化には有利になるが、前記第１レンズ群Ｌ１で発生する球面収差や軸上色収差が増大してしまいこれをレンズ全系で補正することが困難となる。
【００４１】
なお、上述した条件式（６）について、下限値を０．１７に規定することで、前述の効果をより確実にすることができる。
【００４２】
なお、上述した条件式（６）について、上限値を０．３５に規定することで、前述の効果をより確実にすることができる。
【００４３】
また、本実施例の大口径望遠レンズは、以下の条件式を満足することを特徴とする。
（７）１．００＜０．５×（｜Ｋ２ｉｎｆ｜＋｜Ｋ３ｉｎｆ｜）＜２．００
ただし、
Ｋ２ｉｎｆ：無限遠合焦時における前記第２レンズ群Ｌ２のフォーカス敏感度
Ｋ３ｉｎｆ：無限遠合焦時における前記第３レンズ群Ｌ３のフォーカス敏感度
さらに、Ｋ２ｉｎｆ及びＫ３ｉｎｆは以下の式で表される。
Ｋ２ｉｎｆ＝β２ｂｉｎｆ２×（β２ｉｎｆ２−１）
Ｋ３ｉｎｆ＝β３ｂｉｎｆ２×（β３ｉｎｆ２−１）
ただし、
β２ｉｎｆ：無限遠合焦時における前記第２レンズ群Ｌ２の横倍率
β２ｂｉｎｆ：前記第２レンズ群Ｌ２より像側に配置されるレンズ群全体の合成横倍率
β３ｉｎｆ：無限遠合焦時における前記第３レンズ群Ｌ３の横倍率
β３ｂｉｎｆ：前記第３レンズ群Ｌ３より像側に配置されるレンズ群全体の合成横倍率
【００４４】
条件式（７）は、レンズ全系の高性能化と小型化のため、前記第２レンズ群Ｌ２と前記第３レンズ群Ｌ３のフォーカス敏感度を規定したものである。
【００４５】
フォーカス敏感度Ｋは、フォーカスレンズ群の光軸に沿った移動量Δｓに対する像面移動量Δｆｂの比であり、以下の（参考式ａ）で表すことができる。
（参考式ａ）Ｋ＝Δｆｂ／Δｓ＝βｂｆ２×（βｆ２−１）
ただし、
Ｋ：フォーカス敏感度
Δｆｂ：像面移動量
Δｓ：フォーカスレンズ群の光軸に沿った移動量
βｂｆ：無限遠合焦時におけるフォーカスレンズ群より像側に配置されるレンズ群全体の合成横倍率
βｆ：無限遠合焦時におけるフォーカスレンズ群の横倍率
【００４６】
フォーカス敏感度Ｋは、（参考式ａ）からわかるとおり、フォーカスレンズ群の横倍率βｆが等倍から離れるにつれて大きくなる。フォーカス敏感度Ｋが大きくなることにより、同じ像面移動量Δｆｂに対するフォーカスレンズ群の光軸に沿った移動量Δｓを小さくできることになるため、移動量Δｓが小さくなる分、レンズ全系の全長方向を小型化することができる。
【００４７】
条件式（７）の上限値を超えて、前記第２レンズ群Ｌ２と前記第３レンズ群Ｌ３のフォーカス敏感度が大きくなると、フォーカシング時のレンズ群の移動量が減少するため、レンズ全系の小型化には有利になるが、フォーカス時の球面収差や非点収差の変動が大きくなるだけでなく、製造誤差による性能劣化が大きくなってしまう。
【００４８】
条件式（７）の下限値を超えて、前記第２レンズ群Ｌ２と前記第３レンズ群Ｌ３のフォーカス敏感度が小さくなると、光学性能上は有利となるが、フォーカシング時のレンズ群の移動量が増大するためレンズ全系の小型化が困難となる。
【００４９】
なお、上述した条件式（７）について、下限値を１．３０に規定することで、前述の効果をより確実にすることができる。
【００５０】
なお、上述した条件式（７）について、上限値を１．９０に規定することで、前述の効果をより確実にすることができる。
【００５１】
以下、本発明にかかる大口径望遠レンズの実施例１乃至５の数値データを示す。
【００５２】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数を示す。また、有効径の列には、各レンズ面または開口絞りの有効径を示している。また、ＢＦはバックフォーカスを表す。面番号を付した（絞り）には、平面または開口絞りに対する曲率半径∞（無限大）を記入している。
【００５３】
［各種データ］には、焦点距離等の値を示している。
【００５４】
［可変間隔データ］には、各撮影距離状態における可変間隔及びＢＦ（バックフォーカス）の値を示している。
【００５５】
［レンズ群データ］には、各レンズ群を構成する最も物体側の面番号及び群全体の合成焦点距離を示している。
【００５６】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００５７】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。さらに図１、６、１１、１６、２１に示すレンズ構成図において、Ｓは開口絞り、Ｉは像面、ＬＰＦはローパスフィルター、中心を通る一点鎖線は光軸である。
【００５８】
以下に、各実施例に係る大口径望遠レンズの諸元値を示す。［面データ］において、第１列は物体側から数えたレンズ面の順番、第２列のｒはレンズ面の曲率半径、第３列ｄはレンズ面間隔、第４列ｎｄはｄ線（波長λ＝５８７．５６ｎｍ）での屈折率、第５列νｄはｄ線（波長λ＝５８７．５６ｎｍ）でのアッベ数を表す。第６列は有効径を示す。またｒ＝∞は平面を表し、（ＢＦ）はバックフォーカス、（絞り）は絞り面を示し、空気の屈折率ｎ＝１．００００はその記載を省略する。
【実施例１】
【００５９】
図１は、実施例１に係る大口径望遠レンズの無限遠合焦時におけるレンズ構成図である。
【００６０】
実施例１の大口径望遠レンズは、撮影距離無限遠から最短までのフォーカス時に像面に対して固定の正の屈折力の第１レンズ群Ｌ１と、フォーカス時に像側に移動する負の屈折力の第２レンズ群Ｌ２と、フォーカス時に物体側に移動する正の屈折力の第３レンズ群Ｌ３から構成される。
【００６１】
第１レンズ群Ｌ１は、物体側から像側へ順に、両凸レンズと、物体側に凸面を向けた凸メニスカスレンズと、両凸レンズと両凹レンズの接合レンズと、物体側に凸面を向けた凹メニスカスレンズと物体側に凸面を向けた凸メニスカスレンズの接合レンズとから構成される。
【００６２】
第２レンズ群Ｌ２は、物体側から像側へ順に、両凸レンズと両凹レンズの接合レンズと、両凹レンズとから構成される。
【００６３】
第３レンズ群Ｌ３は、物体側から像側へ順に、両凸レンズと、両凸レンズと両凹レンズの接合レンズと、物体側に凹面を向けた凹メニスカスレンズとから構成される。
【００６４】
続いて、以下に実施例１に係る大口径望遠レンズの諸元値を示す。
数値実施例１
単位：mm
［面データ］
面番号            r              d             nd         vd        有効径
物面                  ∞           (d0)
1             123.2737         8.6599        1.55032      75.50   75.28
2            -517.3964         0.2000                             74.66
3              90.7371         7.5968        1.43700      95.10   68.10
4             484.4018         0.2000                             66.40
5              62.8390        11.9140        1.49700      81.61   61.23
6（Ｓｃ１）  -268.1175         3.0000        1.90366      31.32   59.29
7              79.0217         3.7993                             53.86
8              68.8115         2.5000        1.64769      33.84   52.00
9              57.2192         6.6088        1.83481      42.72   50.33
10             178.1879            d10                             48.95
11             132.8315         4.1315        1.84666      23.78   45.64
12            -218.4764         2.5000        1.69680      55.46   44.98
13              36.6470         5.6216                             38.18
14           -1098.3475         2.0000        1.48749      70.45   38.13
15              60.6124            d15                             36.66
16（絞り）           ∞            d16                             35.00
17             742.0814         3.3278        1.77250      49.62   32.40
18             -81.1532         0.2000                             32.59
19              64.4348         6.9893        1.69680      55.46   32.40
20             -42.0387         2.1241        1.62004      36.30   32.25
21              76.7134         3.6721                             31.39
22             -71.4290         1.5000        1.51742      52.15   31.42
23            -194.7969            d23                             32.00
24                   ∞         1.4500        1.52301      58.59   42.83
25                   ∞             BF                             43.01
像面                  ∞
［各種データ］
INF
焦点距離             132.00
Fナンバー              1.86
全画角2ω             18.53
像高Y                 21.63
レンズ全長           159.53
［可変間隔データ］
INF      撮影距離5513mm
d0                 ∞      5353.5051
d10             2.6850         3.2581
d15            15.4580        14.8849
d16            22.1404        20.3179
d23            40.2498        42.0723
BF             1.0000         1.0000
［レンズ群データ］
群            始面         焦点距離
L1              1                77.47
L2             11               -48.90
L3             17                82.74
【実施例２】
【００６５】
図６は、実施例２に係る大口径望遠レンズの無限遠合焦時におけるレンズ構成図である。
【００６６】
実施例２の大口径望遠レンズは、撮影距離無限遠から最短までのフォーカス時に像面に対して固定の正の屈折力の第１レンズ群Ｌ１と、フォーカス時に像側に移動する負の屈折力の第２レンズ群Ｌ２と、フォーカス時に物体側に移動する正の屈折力の第３レンズ群Ｌ３と、フォーカス時に像面に対して固定の負の屈折力の第４レンズ群Ｌ４とから構成される。
【００６７】
第１レンズ群Ｌ１は、物体側から像側へ順に、両凸レンズと、物体側に凸面を向けた凸メニスカスレンズと、両凸レンズと両凹レンズの接合レンズと、物体側に凸面を向けた凹メニスカスレンズと物体側に凸面を向けた凸メニスカスレンズの接合レンズとから構成される。
【００６８】
第２レンズ群Ｌ２は、物体側から像側へ順に、両凸レンズと両凹レンズの接合レンズと、両凹レンズとから構成される。
【００６９】
第３レンズ群Ｌ３は、物体側から像側へ順に、両凸レンズと、両凸レンズと両凹レンズの接合レンズとから構成される。
【００７０】
第４レンズ群Ｌ４は、物体側から像側へ順に、物体側に凹面を向けた凸メニスカスレンズと、両凹レンズとから構成される。
【００７１】
続いて、以下に実施例２に係る大口径望遠レンズの諸元値を示す。
数値実施例２
単位：mm
［面データ］
面番号            r              d             nd         vd        有効径
物面                  ∞           (d0)
1             124.8174         8.3074        1.59282      68.63   74.64
2            -725.7699         0.2000                             73.92
3              91.8968         6.9978        1.43700      95.10   67.80
4             335.5062         0.2000                             66.61
5              61.6698        12.2443        1.49700      81.61   61.75
6（Ｓｃ１）  -257.8305         3.0000        1.83481      42.72   59.87
7             135.2038         2.5996                             55.18
8             300.6206         2.5000        1.60342      38.01   54.40
9              45.1437         8.7334        1.59282      68.63   49.94
10             252.5261            d10                             48.74
11             129.4049         3.8612        1.92119      23.96   45.76
12            -304.8350         2.0000        1.54072      47.20   45.20
13              34.8504         6.1442                             38.59
14            -860.8023         2.0000        1.51823      58.96   38.54
15              77.6950            d15                             37.25
16（絞り）           ∞            d16                             35.00
17              95.1365         6.0394        1.72916      54.67   32.30
18            -196.2123         0.8660                             32.25
19             507.1630         3.3175        1.74330      49.22   32.00
20             -93.1664         2.5000        1.69895      30.05   31.81
21            4835.6525            d21                             31.40
22            -226.8994         5.0323        1.88300      40.80   31.70
23             -63.1589         2.0075                             32.07
24             -53.5021         2.4625        1.60342      38.01   31.62
25             288.7838        36.5500                             32.00
26                   ∞         1.4500        1.52301      58.59   42.71
27                   ∞             BF                             42.99
像面                  ∞
［各種データ］
INF
焦点距離             131.00
Fナンバー              1.86
全画角2ω             18.65
像高Y                 21.63
レンズ全長           157.83
［可変間隔データ］
INF      撮影距離5420mm
d0                 ∞      5262.5421
d10             2.5000         3.3031
d15            14.5289        13.7258
d16            17.7080        15.9666
d21             3.0769         4.8183
BF             1.0000         1.0000
［レンズ群データ］
群            始面         焦点距離
L1              1                95.75
L2             11               -70.26
L3             17                76.88
L4             22              -333.23
【実施例３】
【００７２】
図１１は実施例３に係る大口径望遠レンズの無限遠合焦時におけるレンズ構成図である。
【００７３】
実施例３の大口径望遠レンズは、撮影距離無限遠から最短までのフォーカス時に像面に対して固定の正の屈折力の第１レンズ群Ｌ１と、フォーカス時に像側に移動する負の屈折力の第２レンズ群Ｌ２と、フォーカス時に物体側に移動する正の屈折力の第３レンズ群Ｌ３から構成される。
【００７４】
第１レンズ群Ｌ１は、物体側から像側へ順に、両凸レンズと、両凸レンズと、両凸レンズと両凹レンズの接合レンズと、物体側に凸面を向けた凹メニスカスレンズと物体側に凸面を向けた凸メニスカスレンズの接合レンズとから構成される。
【００７５】
第２レンズ群Ｌ２は、物体側から像側へ順に、両凸レンズと両凹レンズの接合レンズと、両凹レンズとから構成される。
【００７６】
第３レンズ群Ｌ３は、物体側から像側へ順に、両凸レンズと、両凸レンズと両凹レンズの接合レンズと、物体側に凹面を向けた凹メニスカスレンズとから構成される。
【００７７】
続いて、以下に実施例３に係る大口径望遠レンズの諸元値を示す。
数値実施例３
単位：mm
［面データ］
面番号            r              d             nd         vd        有効径
物面                  ∞           (d0)
1             138.8224         7.4739        1.55032      75.50   75.32
2           -1218.9488         0.2000                             74.62
3              94.7801         8.8056        1.49700      81.61   69.50
4          -63559.1422         0.2000                             67.90
5              62.3176        11.9209        1.43700      95.10   61.41
6（Ｓｃ１）  -279.2946         3.0000        1.90366      31.32   59.45
7              91.3648         3.5184                             54.54
8              79.3342         2.5044        1.64769      33.84   52.60
9              52.8931         8.2538        1.83481      42.72   50.42
10             183.9144            d10                             48.52
11             126.1039         4.0735        1.84666      23.78   45.03
12            -239.5810         2.0000        1.69680      55.46   44.36
13              36.9594         5.6016                             38.10
14            -983.8793         2.0000        1.48749      70.45   38.04
15              59.8922            d15                             36.55
16（絞り）           ∞            d16                             34.90
17             744.9285         3.3061        1.77250      49.62   32.40
18             -82.0888         0.2000                             32.59
19              64.8592         6.9153        1.69680      55.46   32.40
20             -42.5301         2.2965        1.62004      36.30   32.26
21              77.5083         3.6170                             31.40
22             -73.0503         1.5000        1.51742      52.15   31.43
23            -197.2435            d23                             32.00
24                   ∞         1.4500        1.52301      58.59   42.83
25                   ∞             BF                             43.01
像面                  ∞
［各種データ］
INF
焦点距離             132.00
Fナンバー              1.86
全画角2ω             18.52
像高Y                 21.63
レンズ全長           160.00
［可変間隔データ］
INF      撮影距離5513mm
d0                 ∞      5352.7599
d10             2.5352         3.1223
d15            15.2407        14.6536
d16            22.1404        20.3180
d23            40.2501        42.0725
BF             1.0000         1.0000
［レンズ群データ］
群            始面         焦点距離
L1              1                78.30
L2             11               -49.56
L3             17                82.88
【実施例４】
【００７８】
図１６は実施例４に係る大口径望遠レンズの無限遠合焦時におけるレンズ構成図である。
【００７９】
実施例４の大口径望遠レンズは、撮影距離無限遠から最短までのフォーカス時に像面に対して固定の正の屈折力の第１レンズ群Ｌ１と、フォーカス時に像側に移動する負の屈折力の第２レンズ群Ｌ２と、フォーカス時に物体側に移動する正の屈折力の第３レンズ群Ｌ３と、フォーカス時に像面に対して固定の負の屈折力の第４レンズ群Ｌ４とから構成される。
【００８０】
第１レンズ群Ｌ１は、物体側から像側へ順に、両凸レンズと、物体側に凸面を向けた凸メニスカスレンズと、両凸レンズと両凹レンズの接合レンズと、物体側に凸面を向けた凸メニスカスレンズとから構成される。
【００８１】
第２レンズ群Ｌ２は、物体側から像側へ順に、両凸レンズと両凹レンズの接合レンズと、両凹レンズとから構成される。
【００８２】
第３レンズ群Ｌ３は、物体側から像側へ順に、両凸レンズと両凹レンズと両凸レンズの接合レンズから構成される。
【００８３】
第４レンズ群Ｌ４は、物体側から像側へ順に、両凸レンズと、両凹レンズとから構成される。
【００８４】
続いて、以下に実施例４に係る大口径望遠レンズの諸元値を示す。
数値実施例４
単位：mm
［面データ］
面番号            r              d             nd         vd        有効径
物面                  ∞           (d0)
1             132.7147         8.4027        1.55032      75.50   74.01
2            -470.9445         0.5000                             73.30
3              89.0373         6.9294        1.43700      95.10   67.50
4             283.7629         0.5000                             66.31
5              60.2320        12.7693        1.49700      81.61   61.59
6（Ｓｃ１）  -212.6927         4.9400        1.91082      35.25   59.76
7              72.1057         5.7908                             53.19
8              69.6886         7.7175        1.88300      40.80   51.40
9             274.0612             d9                             49.39
10             236.9379         4.5925        1.80809      22.76   46.60
11            -148.3018         2.0000        1.51742      52.15   45.64
12              35.0404         5.8902                             38.32
13           -1962.6200         2.0000        1.51823      58.96   38.27
14              56.2560            d14                             36.61
15（絞り）           ∞            d15                             35.30
16             107.3194         6.7276        1.77250      49.62   34.07
17             -41.2484         1.5000        1.73800      32.26   33.79
18              68.5553         4.1862        1.83481      42.72   32.50
19            -176.9039            d19                             32.20
20             599.1346         8.3156        1.80518      25.46   31.92
21            -105.1788         1.2067                             32.00
22             -88.8710         1.5000        1.73800      32.26   31.77
23             190.6801        41.5724                             32.00
24                   ∞         1.4500        1.52301      58.59   42.78
25                   ∞             BF                             43.03
像面                  ∞
［各種データ］
INF
焦点距離             130.99
Fナンバー              1.86
全画角2ω             18.64
像高Y                 21.63
レンズ全長           160.33
［可変間隔データ］
INF      撮影距離5429mm
d0                 ∞      5268.2000
d9             2.5000         3.1386
d14            12.8008        12.1622
d15            13.0414        11.5796
d19             2.5000         3.9618
BF             1.0000         1.0000
［レンズ群データ］
群            始面         焦点距離
L1              1                81.58
L2             10               -52.26
L3             16                72.30
L4             20              -331.88
【実施例５】
【００８５】
図２１は実施例５に係る大口径望遠レンズの無限遠合焦時におけるレンズ構成図である。
【００８６】
実施例５の大口径望遠レンズは、撮影距離無限遠から最短までのフォーカス時に像面に対して固定の正の屈折力の第１レンズ群Ｌ１と、フォーカス時に像側に移動する負の屈折力の第２レンズ群Ｌ２と、フォーカス時に物体側に移動する正の屈折力の第３レンズ群Ｌ３と、フォーカス時に像面に対して固定の負の屈折力の第４レンズ群Ｌ４とから構成される。
【００８７】
第１レンズ群Ｌ１は、物体側から像側へ順に、両凸レンズと、物体側に凸面を向けた凸メニスカスレンズと、両凸レンズと両凹レンズの接合レンズと、物体側に凸面を向けた凹メニスカスレンズと物体側に凸面を向けた凸メニスカスレンズの接合レンズとから構成される。
【００８８】
第２レンズ群Ｌ２は、物体側から像側へ順に、両凸レンズと両凹レンズの接合レンズと、両凹レンズとから構成される。
【００８９】
第３レンズ群Ｌ３は、物体側から像側へ順に、両凸レンズと物体側に凹面を向けた凹メニスカスレンズの接合レンズと、両凸レンズとから構成される。
【００９０】
第４レンズ群Ｌ４は、物体側から像側へ順に、物体側に凹面を向けた凸メニスカスレンズと、両凹レンズとから構成される。
【００９１】
続いて、以下に実施例５に係る大口径望遠レンズの諸元値を示す。
数値実施例５
単位：mm
［面データ］
面番号            r              d             nd         vd        有効径
物面                  ∞           (d0)
1             124.1708         8.3427        1.59282      68.63   74.43
2            -722.3539         0.2000                             73.69
3              90.2713         6.9213        1.43700      95.10   67.50
4             299.6837         0.2000                             66.28
5              61.5336        12.2419        1.49700      81.61   61.60
6（Ｓｃ１）  -267.5932         3.0000        1.83481      42.72   59.64
7             134.3385         2.5804                             54.99
8             290.1505         2.5000        1.60342      38.01   54.20
9              47.1240         8.4325        1.59282      68.63   49.94
10             251.7181            d10                             48.70
11             128.0243         3.8333        1.92119      23.96   45.71
12            -332.3776         2.0000        1.54072      47.20   45.14
13              34.5831         6.2183                             38.60
14            -801.4532         2.0000        1.51823      58.96   38.55
15              80.6187            d15                             37.30
16（絞り）           ∞            d16                             35.00
17              99.3708         5.1663        1.74330      49.22   33.54
18             -61.9889         5.0853        1.69895      30.05   33.28
19            -311.4021         0.2000                             31.90
20             304.3308         2.5000        1.74330      49.22   31.79
21           -1445.2134            d21                             31.60
22            -251.4937         4.7053        1.88300      40.80   31.77
23             -65.7252         2.1199                             32.09
24             -55.8966         3.7431        1.60342      38.01   31.60
25             227.5147         36.5499                            32.00
26                   ∞         1.4500        1.52301      58.59   42.72
27                   ∞             BF                             43.00
像面                  ∞
［各種データ］
INF
焦点距離             130.71
Fナンバー              1.86
全画角2ω             18.69
像高Y                 21.63
レンズ全長           158.25
［可変間隔データ］
INF      撮影距離5404mm
d0                 ∞      5245.4785
d10             2.5000         3.3020
d15            14.5746        13.7726
d16            17.2261        15.5098
d21             2.9635         4.6798
BF             1.0000         1.0000
［レンズ群データ］
群            始面         焦点距離
L1              1                95.38
L2             11               -70.50
L3             17                76.20
L4             22              -308.50
【００９２】
次の［条件式対応値］には、各条件式に対応する各実施例の対応値の一覧を示す。
［条件式対応値］
条件式／実施例
（１）０．７７＜ＦＮｏ×（ｆ１／ｆ）＜１．４０
（２）｜（θｇＦｃｒ−θｇＦｃｆ）／（νｄｃｒ−νｄｃｆ）｜＜０．００２０
（３）２Ｒｃ／φｃ＜−４．８
（４）ＦＮｏ×ＬＴ／ｆ＜２．３５
（５）ｆ１２＞０
（６）０．１５＜ｆ１／ｆ１２＜０．４２
（７）１．００＜０．５×（｜Ｋ２ｉｎｆ｜＋｜Ｋ３ｉｎｆ｜）＜２．００
EX1        EX2        EX3        EX4        EX5
（１）         1.09       1.36       1.10       1.16       1.36
（２）       0.0011     0.0007     0.0010     0.0009     0.0007
（３）        -9.04      -8.70      -9.45      -7.19      -9.05
（４）         2.24       2.24       2.26       2.28       2.25
（５）       440.21     345.44     437.69     442.56     341.43
（６）         0.18       0.28       0.18       0.18       0.28
（７）         1.86       1.40       1.83       1.82       1.41
【００９３】
各実施例の諸収差図から明らかなとおり、本発明によれば、Ｆ値がＦ１．８程度と明るく、良好な光学性能を得ることが可能な大口径望遠レンズを提供することができる。
【符号の説明】
【００９４】
Ｌ１    第１レンズ群
Ｌ２    第２レンズ群
Ｌ３    第３レンズ群
Ｌ４    第４レンズ群
Ｓ      開放絞り
ＬＰＦ  ローパスフィルター
Ｉ      像面
【図１】
0006665615.tif 000002
【図２】
0006665615.tif 000003
【図３】
0006665615.tif 000004
【図４】
0006665615.tif 000005
【図５】
0006665615.tif 000006
【図６】
0006665615.tif 000007
【図７】
0006665615.tif 000008
【図８】
0006665615.tif 000009
【図９】
0006665615.tif 000010
【図１０】
0006665615.tif 000011
【図１１】
0006665615.tif 000012
【図１２】
0006665615.tif 000013
【図１３】
0006665615.tif 000014
【図１４】
0006665615.tif 000015
【図１５】
0006665615.tif 000016
【図１６】
0006665615.tif 000017
【図１７】
0006665615.tif 000018
【図１８】
0006665615.tif 000019
【図１９】
0006665615.tif 000020
【図２０】
0006665615.tif 000021
【図２１】
0006665615.tif 000022
【図２２】
0006665615.tif 000023
【図２３】
0006665615.tif 000024
【図２４】
0006665615.tif 000025
【図２５】
0006665615.tif 000026